(57)【要約】【課題】音声信号を減衰させる音声出力装置において、スタンバイ期間における消費電力を低減することが可能な音声出力装置を提供する。【解決手段】音声信号を減衰させてミュート処理を行なう音声出力装置において、入力されるベース電流の値に応じて減衰量を設定する減衰回路と、当該音声出力装置を駆動するための電源を供給するとともに、スタンバイ期間に電源の供給量を低下させる電源部と、前記電源部が供給する電源の供給量に応じて、ベース電流の値を設定し、前記減衰回路に前記設定されたベース電流を供給するベース電流設定回路と、を有する。【選択図】図１
2011109538.tif 000002
【特許請求の範囲】
【請求項１】
音声信号を減衰させてミュート処理を行なう音声出力装置において、
入力されるベース電流の値に応じて減衰量を設定する減衰回路と、
当該音声出力装置を駆動するための電源を供給するとともに、スタンバイ期間に電源の供給量を低下させる電源部と、
前記電源部が供給する電源の供給量に応じて、ベース電流の値を設定し、前記減衰回路に前記設定されたベース電流を供給するベース電流設定回路と、を有することを特徴とする音声出力装置。
【請求項２】
前記電源部は、通常時に当該音声出力装置を駆動するための電源を供給するとともに、スタンバイ期間に電源供給を停止する第１の電源部と、通常時及びスタンバイ期間に電源を供給する第２の電源部と、を有し、
前記ベース電流設定回路は、通常時は、前記第１の電源部及び前記第２の電源部から供給される電源によりベース電流を供給し、スタンバイ期間は、前記第２の電源部から供給される電源により前記ベース電流を供給することを特徴とする請求項１に記載の音声出力装置。
【請求項３】
前記ベース電流設定回路は、前記スタンバイ期間において、前記第１の電源部からの電源供給を停止するスイッチ手段を備えることを特徴とする請求項２に記載の音声出力装置。
【請求項４】
前記第１の電源部による電源の供給量は、前記第２の電源部による電源の供給量より大ききことを特徴とする請求項２又は請求項３のいずれか一項に記載の音声出力装置。
【請求項５】
前記減衰回路は、複数実装されることを特徴とする請求項１から請求項４のいずれか一項に記載の音声出力装置。
【請求項６】
音声信号を減衰させてミュート処理を行なう複数の音声出力モジュールと、映像信号にもとづいて映像を出力する映像出力部と、を備える表示装置において、
前記複数の音声出力モジュールは、
入力されるベース電流の値に応じて減衰量を設定する減衰回路と、
当該音声出力装置を駆動するための電源を供給するとともに、スタンバイ期間に電源の供給量を低下させる第１の電源部と、
通常時及びスタンバイ期間に前記第１の電源部より少ない電源を供給する第２の電源部と、
通常時は、前記第１の電源部及び前記第２の電源部から供給される電源によりベース電流を供給し、スタンバイ期間は、前記第２の電源部から供給される電源により前記ベース電流を供給するようスイッチ手段により切り替えを行うベース電流設定回路と、を有することを特徴とする表示装置。
【発明の詳細な説明】
【技術分野】
【０００１】
本発明は、設定された減衰量により音声を減衰させる音声出力装置、及び表示装置に関する。
【背景技術】
【０００２】
近年、音声を出力する音声出力装置では、装置自身が備えるＲＬのスピーカーに加えて、音声出力端子等を複数備えて構成されている。また、音声出力装置では、各音声出力部（スピーカー、音声出力端子）を無音状態（ミュート設定）にするため、内部に備える減衰回路により音声を減衰させてミュート設定を行っている。
【０００３】
上記した減衰回路はトランジスターと抵抗を備えて構成されており、音声信号の減衰量は入力されるベース電流の値に比例して設定される。即ち、音声信号を所定の減衰量だけ減衰させるためには、減衰回路に対して所定量のベース電流を入力する必要がある（例えば、特許文献１−４参照）。
【先行技術文献】
【特許文献】
【０００４】
【特許文献１】特開２００８−３０１３１２号公報
【特許文献２】特開平０６−０５３７４６号公報
【特許文献３】特開昭５９−０７２２０７号公報
【特許文献４】実用新案登録公報（実用新案登録番号  第２５２４２０４号）
【発明の概要】
【発明が解決しようとする課題】
【０００５】
昨今では、音声出力装置において、スタンバイ期間に音声出力部から出力されるノイズ音が問題となるため、スタンバイ期間においてもミュート設定を行うことが求められている。そのため、複数の音声出力部を備える音声出力装置においては、スタンバイ期間においてもベース電流を流し続ける必要があるため、消費電力が高くなり、目標とする消費電力を達成できない場合があった。
【０００６】
本発明は、上記課題にかんがみてなされたもので、音声信号を減衰させる音声出力装置において、スタンバイ期間における消費電力を低減することが可能な音声出力装置の提供を目的とする。
【課題を解決するための手段】
【０００７】
上記課題を解決するために、本発明では、音声信号を減衰させてミュート処理を行なう音声出力装置において、入力されるベース電流の値に応じて減衰量を設定する減衰回路と、当該音声出力装置を駆動するための電源を供給するとともに、スタンバイ期間に電源の供給量を低下させる電源部と、前記電源部が供給する電源の供給量に応じて、ベース電流の値を設定し、前記減衰回路に前記設定されたベース電流を供給するベース電流設定回路と、を有する構成としてある。
【０００８】
上記のように構成された発明では、入力されるベース電流の値に応じて減衰量を設定する減衰回路と、当該音声出力装置を駆動するための電源を供給するとともに、スタンバイ期間に電源の供給量を低下させる電源部とを備える音声出力装置において、ベース電流設定回路は、電源部が供給する電源の供給量に応じてベース電流の値を設定し、設定されたベース電流を減衰回路に供給するため、スタンバイ期間において発生するノイズ音を同ノイズ音に対応した少ない減衰量により減衰することができる。そのため、スタンバイ期間における消費電力を低減することが可能となる。
【０００９】
また、前記電源部は、通常時に当該音声出力装置を駆動するための電源を供給するとともに、スタンバイ期間に電源供給を停止する第１の電源部と、通常時及びスタンバイ期間にベース電流のもととなる電源を供給する第２の電源部と、を有し、前記ベース電流設定回路は、通常時は、前記第１の電源部及び前記第２の電源部から供給される電源によりベース電流を供給し、スタンバイ期間は、前記第２の電源部から供給される電源により前記ベース電流を供給する構成としてもよい。
上記のように構成された発明では、第１及び第２の電源部から供給される電源をそれぞれ切り替える構成とすることで、スタンバイ期間における電源の供給量を第２の電源部の電源供給量により設計すればよく、スタンバイ期間の消費電力と減衰量との関係をより設計し易くすることができる。
【００１０】
そして、前記ベース電流設定回路は、前記スタンバイ期間において、前記第１の電源部からの電源供給を停止するスイッチ手段を備える構成としてもよい。
上記のように構成された発明では、スイッチ手段を備えた簡易な構成により本発明を実現することができる。
【００１１】
さらに、前記第１の電源部による電源の供給量は、前記第２の電源部による電源の供給量より大きい構成としてもよい。
【００１２】
また、音声出力部を複数備えるために、各音声出力部に減衰回路を備える場合、それぞれの減衰回路の消費電力を低減することができれば、音声出力装置全体での消費電力の低減に繋がる。そのため、複数前記減衰回路は、複数実装される構成としてもよい。
【００１３】
さらに、本発明の他の一例として、音声信号を減衰させてミュート処理を行なう複数の音声出力モジュールと、映像信号にもとづいて映像を出力する映像出力部と、を備える表示装置において、前記複数の音声出力モジュールは、入力されるベース電流の値に応じて減衰量を設定する減衰回路と、当該音声出力装置を駆動するための電源を供給するとともに、スタンバイ期間に電源の供給量を低下させる第１の電源部と、通常時及びスタンバイ期間に前記第１の電源部より少ない電源を供給する第２の電源部と、通常時は、前記第１の電源部及び前記第２の電源部から供給される電源によりベース電流を供給し、スタンバイ期間は、前記第２の電源部から供給される電源により前記ベース電流を供給するようスイッチ手段により切り替えを行うベース電流設定回路と、を有する構成としてもよい。
【発明の効果】
【００１４】
以上説明したように本発明によれば、スタンバイ期間において発生するノイズ音を同ノイズ音に対応した少ない減衰量により減衰することができ、スタンバイ期間における消費電力を低減することが可能となる。
また請求項２にかかる発明によれば、スタンバイ期間の消費電力と減衰量との関係をより設計し易くすることができる。
そして請求項３にかかる発明によれば、スイッチ手段を備えた簡易な構成により本発明を実現することができる。
また請求項５にかかる発明によれば、消費電力をより低減することができる。
【図面の簡単な説明】
【００１５】
【図１】本発明にかかる音声出力装置の構成を説明するブロック図である。
【図２】音声出力装置１０において、入力電源の変動と、ノイズ音との関係を説明する波形図である。
【図３】一例としての減衰回路３０に供給されるベース電流と減衰量との関係を説明するためのグラフである。
【図４】表示装置１００を説明するブロック図である。
【図５】音声出力モジュール１０ａの構成を説明するためのブロック構成図である。
【図６】第２の実施形態にかかる音声出力モジュール１０ａの構成を示すブロック構成図である。
【発明を実施するための形態】
【００１６】
以下、図を参照しつつ下記の順序に従って本発明の実施形態を説明する。
（１）発明の概要：
（２）第１の実施形態：
（３）第２の実施形態：
（４）その他の実施形態：
【００１７】
（１）発明の概要
図１は、本発明にかかる音声出力装置の構成を説明するブロック図である。図１に示すように、音声出力装置１０は、以下の要部を備えて構成されている。符号２０は、アンプであり、入力音声信号を増幅して出力する。符号３０は、減衰回路であり、入力ベース電流の値に応じて音声信号の減衰を行う。符号４０は、電源部であり、音声出力装置１０を駆動するための電源を供給するとともに、スタンバイ状態等において電源供給量が変動する。符号５０はスピーカーであり、減衰回路３０により減衰された音声信号を音声として出力する。符号６０は、ベース電流設定回路であり、電源部４０から供給される電源の変動に応じたベース電流を設定し、減衰回路３０に供給する。
【００１８】
図２は、音声出力装置１０において、入力電源の変動と、ノイズ音との関係を説明する波形図である。図２に示すように、電源部４０からの電源は、電源投入から所定電圧Ｖｃ１に達するまでの立ち上がり期間と、所定電圧Ｖｃ１で音声出力装置１０に電源を供給する通常起動期間と、スタンバイ信号の入力に応じて、所定電圧Ｖｃ１をＶｃ２まで立ち下げる立ち下げ期間と、電圧Ｖｃ２で電源を供給するスタンバイ期間と、で構成されている。
【００１９】
音声出力装置１０がミュート信号に応じてミュート設定を行う場合、通常起動期間においては、音声信号に対して例えば４０ｄＢ程の減衰量を必要とする。一方、音声出力装置１０は、スタンバイ期間において音声出力部からノイズ音が発生するため、この期間においても一定の減衰量によりミュート設定を行う必要が生じる。スタンバイ期間におけるノイズの大きさは、通常起動期間における音声信号の大きさより小さいため、ミュート設定における減衰量は、通常起動期間よりも小さくすることができる。
【００２０】
図３は、一例としての減衰回路３０に供給されるベース電流と減衰量との関係を説明するためのグラフである。図３では、横軸がベース電流の値であり、縦軸が減衰量（ｄＢ）である。減衰回路３０における減衰量は入力されるベース電流の電流値に比例して増加するため、音声信号の大きさに応じた最適な減衰量となるよう減衰回路３０にベース電流を供給すれば、消費電力を軽減することが可能となる。
【００２１】
そのため、本発明では、電源部４０が電源を供給する通常起動期間においては、ベース電流設定回路６０は、電源部４０から供給される電圧Ｖｃ１に応じてベース電流を設定し、電源部４０の供給電源が変動した場合には、供給される電源（例えばＶｃ２）に応じてベース電流を設定する。ここで、スタンバイ期間に生じるノイズ音を減衰するための減衰量は低い値でよいため、電源部４０から出力される変動した電源により設定されるベース電流でも所望とする減衰量を得ることが可能であるため、スタンバイ期間における消費電力を低減することが可能となる。 
【００２２】
（２）第１の実施形態：
以下、図を参照して、この発明に係る音声出力装置を具体化した第１の実施形態について音声出力装置１０の機能を備える表示装置１００を例に説明を行う。図４は、表示装置１００を説明するブロック図である。表示装置１００は、図１に示す部位に加えて、以下の要部を備えて構成されている。符号９９はフロントエンド部であり、図示しない各種アンテナが受信した放送信号を復調する。符号９８は、バックエンド部であり、復調されたデータのスクランブル解除や、圧縮された映像・音声データの復号処理を行なう。符号９７はディスプレイであり、復号された映像データをもとに映像を表示する。符号９６は、メインコントローラーであり、表示装置１００の駆動を制御する。
【００２３】
フロントエンド部９９は、各種アンテナが搬送波を受信すると、この搬送波に重畳した放送信号を変調して抽出する。また、フロントエンド部９９は、内部にリモコン装置からの選局信号に応じて作動する切り替え回路を備えており、この切り替え回路により所望のチャンネルに対応した放送信号をバックエンド部９８に出力する。
【００２４】
バックエンド部９８は、フロントエンド部９９で復調されたデータのスクランブル解除を行うとともに、ＭＰＥＧ方式で圧縮された映像・音声データの復号処理を行なう多重分離部を備えている。さらに、バックエンド部９８は、復号処理された映像データを信号処理する映像信号処理部を備えている。
【００２５】
ディスプレイ９７は、バックエンド部９８で復号された映像データをもとに映像を表示する。本実施形態では、ディスプレイ９７は液晶ディスプレイであり、図示しないバックライトからの光を透過させて映像を出力する。
【００２６】
メインコントローラー９６は、ＣＰＵや、ＲＯＭ、及びＲＡＭを備えて構成され、ＲＯＭに記憶された各種プログラムにより表示装置１００の駆動を制御する。また、メインコントローラー９６は、リモコン装置等から出力されるコマンド信号に応じて、出力音声をミュート処理するためのミュート信号や、表示装置１００をスタンバイ状態に移行させるスタンバイ信号を出力する。ここで、スタンバイ状態とは、表示装置１００の消費電力を低減させることであり、本実施形態では特に、音声出力モジュール１０ａ（後述）の消費電力を低減させる。
【００２７】
また、表示装置１００は、音声出力装置１０として、Ｒ（ライト），Ｌ（レフト）の音声出力モジュール１０ａと、外部機器とジャックを介して接続することで外部機器に音声信号を供給する出力端子１０ｂ，１０ｃを備えて構成されている。音声出力モジュール１０ａ、及び出力端子１０ｂ，１０ｃは、同様な構成であるため、以下音声出力モジュール１０ａをもとに説明を行う。
【００２８】
図５は、音声出力モジュール１０ａの構成を説明するためのブロック構成図である。音声出力モジュール１０ａは、図１に示す音声出力装置１０を具体化したものであり、以下の構成である。
減衰回路３０は、トランジスターＱ５及び抵抗Ｒ４を備えて構成され、トランジスターＱ５のベースに供給されるベース電流の値に応じて減衰量が設定される。電源部４０は、通常起動期間、音声出力モジュール１０ａを駆動するための第１の電源部４０ａと、スタンバイ期間において、ベース電流を供給するための第２の電源部４０ｂとで、構成される。ここで、第１の電源部４０ａは９Ｖの電源を供給し、第２の電源部４０ｂは３．３Ｖの電源を供給する。
【００２９】
第１の電源部４０ａは、メインコントローラー９６と接続され、メインコントローラー９６からスタンバイ信号が出力されると電源の供給を停止するスタンバイ期間に移行する。また、ベース電流設定回路６０は、メインコントローラー９６に接続されており、メインコントローラー９６から出力されるミュート信号に応じて、減衰回路３０に供給されるベース電流の値を切り替える。
【００３０】
＝＝＝ベース電流設定回路６０の構成＝＝＝
以下、ベース電流設定回路６０の具体的な構成を説明する。ベース電流設定６０は、通常起動期間に第１の電源部４０ａから供給される電源によりベース電流を設定し、減衰回路３０に供給し、スタンバイ期間にベース電流の供給を停止する第１ベース電流設定部６０ａと、通常起動期間及びスタンバイ期間に第２の電源部４０ｂから供給される電源によりベース電流を設定し、減衰回路３０に供給する第２ベース電流設定部６０ｂと、を備えて構成されている。そのため、音声出力モジュール１０ａにおける通常起動期間では、第１ベース電流設定部６０ａ及び第２ベース電流設定部６０ｂから供給されるベース電流の和が減衰回路３０に供給される。また、スタンバイ期間においては、第２ベース電流設定部６０ｂにより設定されたベース電流のみが減衰回路３０に供給される。
【００３１】
第１ベース電流設定部６０ａは、以下の要部を備えて構成されている。トランジスターＱ１は、第１の電源部４０ａからの電源供給を抵抗Ｒ１を介した自己バイアスにより切り替える。トランジスターＱ３及び抵抗Ｒ７は、抵抗Ｒ９を介してトランジスターＱ３のベースに供給されるミュート信号に応じて、第１の電源部４０ａから供給される電源からベース電流を設定する。また、トランジスターＱ１のエミッターは、上記したトランジスターＱ３のコレクターと接続されるとともに、抵抗Ｒ３を介して接地されている。そして、抵抗Ｒ１はトランジスターＱ１のベース及び第２ベース電流設定部６０ｂのトランジスターＱ２（後述する）のコレクターにダイオードＤ１を介して接続されている。さらに、抵抗Ｒ７の出力側は、減衰回路３０のトランジスターＱ５のベースと接続され、トランジスターＱ３及び抵抗Ｒ７で設定したベース電流を減衰回路３０に供給する。
【００３２】
第２ベース電流設定部６０ｂは、以下の要部を備えて構成されている。トランジスターＱ２及び抵抗Ｒ６は、抵抗Ｒ８を介してトランジスターＱ２のベースにミュート信号が入力されると、電源部４０からの電源の供給量に応じてベース電流を設定する。また、抵抗Ｒ６の出力側は、抵抗Ｒ２を介して接地されるとともに、減衰回路３０のトランジスターＱ５のベースに接続されている。
【００３３】
なお、第１の電源部４０ａ及び第２の電源部４０ｂから供給される電源をそれぞれ第１及び第２のベース電流設定部により切り替える構成とすることで、スタンバイ期間における電源の供給量を第２の電源部４０ｂの電源供給量により設定すればよく、スタンバイ期間の消費電力と減衰量との関係をより設計し易くすることができる。
【００３４】
＝＝＝音声出力モジュールの作用＝＝＝
以下、本実施形態にかかる音声出力モジュール１０ａの作用を説明する。まず、通常起動期間におけるミュート設定を説明する。表示装置１００のメイン電源がオンすると、メインコントローラー９６は、第１の電源部４０ａ及び第２の電源部４０ｂをオンし、アンプ２０に対して電源を供給する。そのため、入力信号はアンプ２０により増幅され、減衰回路３０を通過して出力端子１０ｂからスピーカー５０に出力される。
【００３５】
上記状態で、メインコントローラー９６からミュート信号が抵抗Ｒ９を介して入力されると、第１ベース電流設定部６０ａのトランジスターＱ３及び抵抗Ｒ７は、第１の電源部４０ａから供給される電源に応じてベース電流を設定し、減衰回路３０のトランジスターＱ５のベースに供給する。同様に、メインコントローラー９６からミュート信号が抵抗Ｒ８を介して入力されると、第２ベース電流設定部６０ｂのトランジスターＱ２及び抵抗Ｒ６は、第１の電源部４０ａ及び第２の電源部４０ｂから供給される電源に応じてベース電流を設定し、減衰回路３０のトランジスターＱ５のベースに供給する。そのため、減衰回路３０のトランジスターＱ５には、第１の電源部４０ａ及び第２の電源部４０ｂが設定したベース電流の合成電流が供給される。
【００３６】
次に、スタンバイ期間における音声出力モジュール１０ａのミュート設定を説明する。メインコントローラー９６から音声出力モジュール１０ａにスタンバイ信号が出力されると、第１の電源部４０ａは音声出力モジュール１０ａへの電源の供給を停止する。この状態で、メインコントローラー９６から抵抗Ｒ８を介してミュート信号が出力されると、第２ベース電流設定部６０ｂのトランジスターＱ２及び抵抗Ｒ６は、第２の電源部４０ｂから供給される電源に応じて、ベース電流を設定し、減衰回路３０のトランジスターＱ５のベースにベース電流を供給する。ここで、スタンバイ期間においては、アンプ２０からは音声信号は入力されず、図２に示すノイズ音のみをミュート設定すればよいため、所望とする減衰量は通常起動期間よりも低い値で済む。そのため、第２の電源部４０ｂから供給される電源にもとづくベース電流のみでも所望の減衰量を得ることが可能である。
【００３７】
以上説明したように、本発明では、電源部４０から供給される電源の変動に応じて、減衰回路３０に供給するベース電流の値を変化させるため、スタンバイ期間等に発生するノイズ音を低い減衰量により減衰することが可能となり、所望とする減衰量と消費電力のバランスを最適にすることができる。また、音声出力部を複数備える装置においては、各音声出力部における消費電力を低減することができるため、スタンバイ期間における消費電力の少ない装置を提供することができる。
【００３８】
（３）第２の実施形態：
また、ベース電流設定回路６０は電源部４０が供給する電源の変動に応じてベース電流の供給量を可変させる構成であればよいため、第１の実施形態に示すスイッチング素子により構成されるものに限定されない。図６は、第２の実施形態にかかる音声出力モジュール１０ａの構成を示すブロック構成図である。図６に示す音声出力モジュール１０ａでは、ベース電流設定回路６０は複数の抵抗により構成される第１ベース電流設定部６０ａ，及び第２ベース電流設定部６０ｂを備え、第１の電源部４０ａ並びに第２の電源部４０ｂと減衰回路３０のトランジスターとの間に接続されている。
【００３９】
第２の実施形態にかかるベース電流設定回路６０では、通常起動期間では、ミュート信号の入力に応じて、第１の電源部４０ａ及び第２の電源部４０ｂから供給される電源の供給量にリニアに対応するベース電流を設定し、減衰回路３０に供給する。一方、スタンバイ期間では、第１の電源部４０ａの電源供給が少なくなる（停止する）ため、ミュート信号の入力に応じて、第２電源部４０ｂの（期間によっては第１の電源部４０ａを含めた）供給電源に応じたベース電流を減衰回路３０に供給する。なお、第１の実施形態同様、第２の電源部４０ｂから供給される電源にもとづいたベース電流は、通常起動期間及びスタンバイ期間において変動しないものとする。上記第２の実施形態では、ベース電流設定回路６０はスイッチング素子を用いないため、より簡易な回路構成とすることが可能となる。以上、第２の実施形態にかかる表示装置を説明した。
【００４０】
（４）その他の実施形態：
本発明は様々な実施形態が存在する。各実施形態で説明した表示装置は、一例であり、音声出力装置の機能備える製品であれば、表示装置に限定されない。
【００４１】
また、各実施形態に示すベース電流設定回路の構成は一例であり、同一の機能を示すものであれば様々な構成を適用することができる。
【００４２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【符号の説明】
【００４３】
１０…音声出力装置、１０ａ…音声出力モジュール、１０ｂ，１０ｃ…出力端子、２０…アンプ、３０…減衰回路、４０…電源部、４０ａ…第１の電源部、４０ｂ…第２の電源部、５０…スピーカー、６０…ベース電流設定回路、６０ａ…第１ベース電流設定部、６０ｂ…第２ベース電流設定部、９６…メインコントローラー、９７…ディスプレイ、９８…バックエンド部、９９…フロントエンド部、１００…表示装置
【図１】
2011109538.tif 000003
【図２】
2011109538.tif 000004
【図３】
2011109538.tif 000005
【図４】
2011109538.tif 000006
【図５】
2011109538.tif 000007
【図６】
2011109538.tif 000008